(57)【要約】【課題】紐体の締付装置などの引張り力を制限することが可能な操作レバー用アーム延長装置を提供する。【解決手段】操作レバー用アーム延長装置（１０）、特に紐体用締付装置の操作レバー（１１）用の延長装置（１０）であって、操作レバー（１１）に着脱可能に連結される連結部材（１２）と、相互傾動手段（１４）を介して連結部材（１２）と結合され、操作レバー（１１）を操作する際に使用者によって把持可能な本体（１３）と、操作レバー（１１）を回動させるために連結部材（１２）に加えられた所定の大きさの力に屈することで、連結部材（１２）に対する本体（１３）の相対的な傾動を引き起こす傾動発生手段（１５）とを備える。
2011500399.tif 000002
【特許請求の範囲】
【請求項１】
操作レバー用アーム延長装置（１０）、特に紐体用締付装置の操作レバー（１１）用のアーム延長装置（１０）であって、
前記操作レバー（１１）に着脱可能に連結される連結部材（１２）と、
相対傾動手段（１４）を介して前記連結部材（１２）と結合され、前記連結部材（１２）を介して前記操作レバー（１１）を操作する際に使用者が把持可能な本体（１３）と、
前記操作レバー（１１）を回動させるために前記連結部材（１２）に加えられた所定の大きさの力に屈することにより、前記連結部材（１２）に対する前記本体（１３）の相対的な傾動を引き起こす傾動発生手段（１５）と
を備えることを特徴とする操作レバー用アーム延長装置。
【請求項２】
前記相対傾動手段（１４）は、前記連結部材（１２）を前記本体（１３）に連結するピボット（１６）を備え、前記ピボット（１６）の軸線で規定される回転軸（Ａ）周りの回転によって、前記連結部材（１２）と前記本体（１３）とが相対的に傾動することを特徴とする請求項１に記載の操作レバー用アーム延長装置。
【請求項３】
前記傾動発生手段は、
相対摺動手段を介して前記本体（１３）に組み込まれており、前記連結部材（１２）を押圧する頭部（１８）が設けられたピストン（１７）と、
前記本体（１３）に沿って前記連結部材（１２）に前記ピストン（１７）を押し付ける弾性部材とを備え、
前記連結部材（１２）は、
縦長に形成されて、その中間部分で前記ピボット（１６）に結合されており、前記操作レバー（１１）に装着固定されるように形成された装着部（１９）をその一端に有すると共に、前記頭部（１８）を係止させて支持するための支持部材（２０）をその他端に有することを特徴とする請求項１または２に記載の操作レバー用アーム延長装置。
【請求項４】
前記本体（１３）は容器状に形成され、前記弾性部材を収容するシリンダ（２１）が内部に形成されており、
前記ピストン（１７）は、前記シリンダ（２１）の第１端部（２２ａ）内に摺動可能にその一部が挿入され、
前記本体（１３）は、前記ピストン（１７）が前記第１端部（２２ａ）から抜け出るのを規制する手段（１５）を有し、
前記弾性部材は、前記シリンダ（２１）内に収容され、前記ピストン（１７）と前記シリンダ（２１）の第２端部（２２ｂ）を閉塞するエンドプレート（２６）との間で予め圧縮された状態にある螺旋状のスプリング（２５）からなることを特徴とする請求項１〜３のいずれかに記載の操作レバー用アーム延長装置。
【請求項５】
前記頭部（１８）は前記第１端部（２２ａ）から片持ち状態で外方に出ていて、前記支持部材（２０）に形成された第２平坦部（２８）に係止して支持される第１平坦部（２７）を有しており、
前記ピストン（１７）及び前記連結部材（１２）が、前記第２平坦部（２８）に密着する前記第１平坦部（２７）を介して結合している場合に、前記第１平坦部（２７）及び前記第２平坦部（２８）は、前記シリンダ（２１）の軸線を実質的に直角に横切るように配置されていることを特徴とする請求項１〜４のいずれかに記載の操作レバー用アーム延長装置。
【請求項６】
前記スプリング（２５）の事前の圧縮状態を調整する手段を備えることを特徴とする請求項１〜５のいずれかに記載の操作レバー用アーム延長装置。
【発明の詳細な説明】
【技術分野】
【０００１】
本発明は操作レバー用アーム延長装置に関し、特に紐体の締付装置における操作レバーのアームを延長するための装置に関する。
【背景技術】
【０００２】
トラックなどの車体に積み荷を保持するための紐体を締め付けるのに使用可能なレバーアームの延長装置が一般に知られている。この装置は、縦長の本体を有しており、この本体の一端を使用者が把持可能であり、他端には、延長の対象となるアームを有した操作レバーに連結するための連結部材が設けられている。
【０００３】
連結部材は、一端が開口して操作レバーの少なくとも一部を収容する容器状の構造をなしている。このような容器状の構造体の中に操作レバーを挿入すれば、延長されたアームのおかげで、使用者は操作レバーを直接動かす場合ほど労力をかけずに、本体に力を加えて操作レバーを動かすことができる。
【発明の概要】
【発明が解決しようとする課題】
【０００４】
このような装置を用いることは、特に紐体の締付装置を操作する際に効果的であるが、紐体や締付装置が引張り限界に達しやすくなって破損してしまうという欠点がある。
従って、紐体の締付装置などの引張り力を制限することが可能なレバーアームの延長装置が求められている。
【０００５】
本発明の狙いとするところは、このような要求に応えて、紐体の締付装置などの引張り力を制限することが可能な操作レバー用アーム延長装置を提供することにある。
このような狙いのもとで、本発明の目的は、本装置によって伝達可能な力を所定の大きさに制限するように事前に設定可能な装置を提供することにある。
【０００６】
本発明のもう１つの目的は、例えばトラックなどの車体に載置された積み荷を安全に運搬できるよう、積み荷を保持するための紐体を効果的に締め付けることが可能な装置を提供することにある。
本発明のもう１つの目的は、構造的に簡素で使用しやすく、低コストで製造可能な装置を提供することにある。
【課題を解決するための手段】
【０００７】
後述の説明によって更に明らかとなるこのような意図及び目的、並びに更なる目的を達成するため、本発明による操作レバー用アーム延長装置、特に紐体用締付装置の操作レバー用アーム延長装置は、
・前記操作レバーに着脱可能に連結される連結部材と、
・相対傾動手段を介して前記連結部材と結合され、前記連結部材を介して前記操作レバーを操作する際に使用者が把持可能な本体と、
・前記操作レバーを回動させるために前記連結部材に加えられた所定の大きさの力に屈することにより、前記連結部材に対する前記本体の相対的な傾動を引き起こす手段と
を備える。
【０００８】
本発明の更なる特徴及び利点は、限定されない例をもって添付図面中に示された、本発明に係る装置の好ましいが限定されるものではない実施形態についての後述の詳細な説明から、より明らかになるであろう。
【図面の簡単な説明】
【０００９】
【図１】本発明に係る装置の斜視図である。
【図２】本発明に係る装置の長手方向の断面図である。
【図３】本発明に係る装置が機能した状態を詳細に示す拡大断面図である。
【発明を実施するための形態】
【００１０】
図面を参照すると、参照符号１０は、全般的に操作レバー１１のアーム、特に紐体用締付装置の操作レバー１１のアームを延長するための延長装置を示しており、この延長装置は以下を備えている。
・操作レバー１１に着脱可能に連結される連結部材１２、
・相対傾動手段１４を介して連結部材１２と結合され、連結部材１２を介して操作レバー１１を操作する際に使用者が把持可能な本体１３、及び
・操作レバー１１を回動させるために連結部材１２に加えられた所定の大きさの力に屈することにより、連結部材１２に対する本体１３の相対的な傾動を引き起こす傾動発生手段１５。
【００１１】
相対傾動手段１４は、連結部材１２を本体１３に結合するピボット１６を有しているのが好ましく、このピボット１６の軸線で規定される回転軸Ａ周りの回動によって、連結部材１２と本体１３とが相対的に傾動する。
【００１２】
傾動発生手段１５は、以下を備えているのが好ましい。
・相対摺動手段を介して本体１３に組み込まれており、連結部材１２を押圧する頭部１８が設けられたピストン１７、及び
・本体１３に沿って連結部材１２にピストン１７を押し付ける弾性部材。
【００１３】
また、連結部材１２は縦長に形成されて、その中間部分でピボット１６に結合されており、操作レバー１１に装着固定されるように形成された装着部１９をその一端に有すると共に、頭部１８を係止させて支持するための支持部材２０をその他端に有している。
一方、本体１３は容器状に形成され、上述の弾性部材を収容するシリンダ２１が内部に形成されているのが好ましい。
【００１４】
ピストン１７は、頭部１８とは反対側にプレート２３を有し、当該プレート２３がシリンダ２１の第１端部２２ａ内に摺動可能に挿入されると共に、頭部１８が第１端部２２ａから片持ち状態でシリンダ２１の外方に出ているのが好ましい。
本体１３は、第１端部２２ａからプレート２３の抜け出るのを規制する手段を有しているのが好ましく、このような手段は、プレート２３の摺動を制限する摺動制限肩部２４からなるのが好ましい。
【００１５】
上述した弾性部材は、シリンダ２１内に収容され、プレート２３とシリンダ２１の第２端部２２ｂを閉塞するエンドプレート２６との間で予め圧縮された状態にある螺旋状のスプリング２５からなるのが好ましい。
頭部１８は、支持部材２０に形成された第２平坦部２８に係止して支持される第１平坦部２７を有しているのが好ましい。
第１平坦部２７が第２平坦部２８に密着した状態でピストン１７及び連結部材１２が結合している場合、第１平坦部２７及び第２平坦部２８は、シリンダ２１の軸線を実質的に直角に横切るように配置されている。
【００１６】
更に、延長装置１０は、スプリング２５の事前の圧縮状態を調整するための手段を有するのが好ましく、このような手段は、第２端部２２ｂにおいて本体１３の端面３０に螺合してエンドプレート２６を押圧するネジ２９からなるのが好ましい。また、端面３０に組み付けられてネジ２９の頭部を覆う蓋体３１が設けられているのが好ましい。
【００１７】
本発明による延長装置１０の使用方法は以下のとおりである。
使用者は、装着部１９を介して操作レバー１１に延長装置１０を連結した後、本体１３を把持して力を加えることにより、操作レバー１１をその支点周りに回動させる。
ピストン１７がスプリング２５によって連結部材１２に押し付けられることにより、使用者が把持している本体１３に対する連結部材１２の相対回転が妨げられるので、操作レバー１１が本体１３に連動して一体的に回動する。
【００１８】
操作レバー１１に回動を生じさせる力が、スプリング２５の事前圧縮によって予め設定された大きさ以上となると、スプリング２５がこの力に屈することにより、本体１３に対する連結部材１２の回動を許容する。こうして、操作レバー１１を操作するための力の大きさが所定の制限値に達したことが使用者に知らされる。
【００１９】
以上のように、紐体用締付装置などの引張り力を制限可能であると共に、このような引張り力の大きさの制限値が、スプリングの事前の圧縮状態を調整する手段を用いて予め設定可能な操作レバー用アーム延長装置を提供することにより、本発明が所期の意図及び目的を達成することが実際に示された。
【００２０】
また、本発明による延長装置は、紐体用締付装置の延長レバーアームを提供することにより、トラックなどの車体に搭載された積み荷を保持するための紐体の締め付けを、紐体用締付装置自体を直接的に操作して得られる紐体の締め付けより効果的に行うことが可能となり、積み荷の安全な輸送を確実に行うことができる。
【００２１】
このようにしてなされた本発明は、様々な変形や変更が可能であるが、それらはいずれも添付の特許請求の範囲に含まれるものであって、本発明の構成要素は詳細にわたり別の技術的等価物との置換が可能である。実際に、必然的ではない形状や寸法のみならず、使用される素材についても、要求に適合し、技術の状況に対応したものとすることが可能である。なお、特許審査の過程において公知であることが判明したものについては、いずれも特許を請求するものではなく、権利放棄の対象となるものである。
【００２２】
本出願が優先権を主張するイタリア国特許出願ＰＤ２００７Ａ０００３２７号において開示するものは、参照によりここに編入されるものである。
【００２３】
特許請求の範囲に示される技術的特徴には参照符号が付されているが、これらの参照符号は特許請求の範囲の理解を深めることのみを目的として付与するものであり、このような参照符号によって例示される各要素の解釈に何ら制限的な影響を及ぼすものではない。
【図１】
2011500399.tif 000003
【図２】
2011500399.tif 000004
【図３】
2011500399.tif 000005
【国際調査報告】
2011500399.tif 000006
2011500399.tif 000007
2011500399.tif 000008